(57)【特許請求の範囲】
【請求項１】
平坦な適宜の面サイズをその頂面に備える治具との関係で定まるシート状の音響抵抗材料を選定配置する第１工程と、治具の前記頂面上にその周縁部をはみ出させて前記音響抵抗材料を載置させた状態で前記周縁部を介して張力を加える第２工程と、張力が加えられた前記頂面上の前記音響抵抗材料の面サイズに適合する外径を備える張架用リングを少なくとも選定配置する第３工程と、選定された前記張架用リングの前記音響抵抗材料との対向面に接着剤を塗布して前記頂面上に位置する前記音響抵抗材料に接合する第４工程と、前記張架用リングが固着された後の前記音響抵抗材料を前記治具から取り外す第５工程と、前記治具から取り外した後に前記張架用リングからはみ出ている前記周縁部を切除してシート状張架音響抵抗材を得る第６工程とを経るシート状張架音響抵抗材の製造方法において、
前記第３工程では、前記張架用リングのほか、前記頂面上の前記音響抵抗材料の中央部位に配置される円形補強材をも選定配置し、前記第４工程では、選定された前記張架用リングと前記円形補強材とにおける前記音響抵抗材料との対向面に接着剤を塗布して前記頂面上に位置する前記音響抵抗材料に接合し、前記第５工程では、前記張架用リングと前記円形補強材とが固着された後の前記音響抵抗材料を前記治具から取り外すことを特徴とするシート状張架音響抵抗材の製造方法。
【請求項２】
請求項１に記載の製造方法で製造したことを特徴とするシート状張架音響抵抗材。
【請求項３】
外部からの音波を受けて振動する振動板と、該振動板の円滑な動作と所定の音響特性とを確保するための通孔を有する内蔵部品とを少なくともハウジング内に備えてなるマイクロホンユニットにおいて、
前記通孔が同心円状に穿設された複数個で形成されている部位は、その全てを同時に塞ぐべく、前記張架用リングと前記円形補強材とが固着されてなる請求項２に記載の前記シート状張架音響抵抗材を選定配置し、
前記通孔が適宜口径の単体として形成されている部位は、張架用リングのみが固着されて前記通孔の口径との関係でこれを塞ぐに足る外径を有するシート状張架音響抵抗材を選定配置したことを特徴とするマイクロホンユニット。
【発明の詳細な説明】
【技術分野】
【０００１】
本発明は、安定した音響抵抗値が得られるシート状張架音響抵抗材およびその製造方法ならびにマイクロホンユニットに関する技術である。
【背景技術】
【０００２】
マイクロホンユニットでは、周波数応答を平坦にし、かつ、指向性を付与するために音響抵抗部材が多く用いられている。この場合に用いられる音響抵抗材料には、薄くて通気性のあるシート状を呈する部材と、厚くて弾性とともに通気性のある体積を伴った部材とがある。
【０００３】
これらのうち、シート状の音響抵抗部材には、例えば特許文献１にも記載されているように不織布、布、ナイロンメッシュなどがある。
【先行技術文献】
【特許文献】
【０００４】
【特許文献１】特開２０００−５０３８６号公報
【０００５】
図４は、シート状の音響抵抗部材からなる音響抵抗材を備えるダイナミックマイクロホンユニットの従来例を示すものであり、この例では、単一指向性ダイナミックマイクロホンユニット５１をユニットホルダ９２側に支持させた状態のもとで示されている。
【０００６】
この場合、ダイナミックマイクロホンユニット５１は、振動板６２のほか、その内蔵部品である磁気回路ユニット７２が配設されるハウジン５２グと、透孔からなる前部音響端子８３を有して振動板６２を覆うようにしてハウジング５２側に取り付けられるレゾネータ（音響共振器）８２とを備えて構成されている。
【０００７】
これらのうち、ハウジング５２は、磁気回路ユニット７２の背面側には後部音響端子５３を、内部には所要容積の空気室５４をそれぞれ有しているほか、前部隔壁部５５と後部隔壁部５６とのそれぞれに通孔５５ａ，５６ａを有するとともに、その下側部側がユニットホルダ９２内に差し込まれて一体的に連結されている。
【０００８】
そして、振動板６２は、センタードーム６３と、該センタードーム６３の周りに一体に形成されたサブドーム６４とからなり、これらセンタードーム６３とサブドーム６４との背面側の境界部位にボイスコイル６５を備えて形成されている。
【０００９】
また、ハウジング５２側に支持される磁気回路ユニット７２は、円板状に形成された永久磁石７２と、該永久磁石７３のＮ極側に配置される円板状に形成されたポールピース７４と、永久磁石７３のＳ極側に配置されるカップ状ヨーク７５と、該カップ状ヨーク７５の開口側に配置されてその内周端面とポールピース７４の外周端面との間に振動板６２が備えるボイスコイル６５を収容配置するための磁気ギャップＧを形成するリング状ヨーク７７とを備え、カップ状ヨーク７５の底部７６には複数個の通孔７６ａが同心円状に穿設されている。
【００１０】
しかも、図４の従来例においては、カップ状ヨーク７５における底部７６の各通孔７６ａと、ハウジング５２における前部隔壁部５５の通孔５５ａと、後部隔壁部５６の通孔５６ａとのそれぞれが、シート状の音響抵抗部材である不織布、布、ナイロンメッシュなどからなる音響抵抗材１０２で塞がれている。
【００１１】
一方、体積を伴う音響抵抗材料には、例えば特許文献２にも記載されているようにフェルトやスポンジなどがある。
【００１２】
【特許文献２】特開２００５−１８４３４７号公報
【発明の概要】
【発明が解決しようとする課題】
【００１３】
ところで、図４に示すように不織布、布、ナイロンメッシュなどのようなシート状の音響抵抗材料からなる音響抵抗材１０２を用いる場合には、安定した音響抵抗値を得ることはできるものの、音波を受けると振動板６２のように振動してしまい、指向周波数応答を劣化させてしまうという不都合があった。
【００１４】
また、フェルトやスポンジなどのような体積を伴う音響抵抗材料からなる音響抵抗材を用いる場合には、厚さがある分だけ振動することは少ないものの、音響抵抗値にバラツキが生じてしまうという不具合があった。
【００１５】
本発明は、従来技術の上記課題に鑑み、安定した音響抵抗値が得られるだけでなく、指向周波数応答も劣化させないシート状張架音響抵抗材およびその製造方法ならびにマイクロホンユニットを提供することに目的がある。
【課題を解決するための手段】
【００１６】
本発明は、上記目的を達成すべくなされたものであり、そのうちの第１の発明（製造方法）は、平坦な適宜の面サイズをその頂面に備える治具との関係で定まるシート状の音響抵抗材料を選定配置する第１工程と、治具の前記頂面上にその周縁部をはみ出させて前記音響抵抗材料を載置させた状態で前記周縁部を介して張力を加える第２工程と、張力が加えられた前記頂面上の前記音響抵抗材料の面サイズに適合する外径を備える張架用リングを少なくとも選定配置する第３工程と、選定された前記張架用リングの前記音響抵抗材料との対向面に接着剤を塗布して前記頂面上に位置する前記音響抵抗材料に接合する第４工程と、前記張架用リングが固着された後の前記音響抵抗材料を前記治具から取り外す第５工程と、前記治具から取り外した後に前記張架用リングからはみ出ている前記周縁部を切除してシート状張架音響抵抗材を得る第６工程とを経るシート状張架音響抵抗材の製造方法において、前記第３工程では、前記張架用リングのほか、前記頂面上の前記音響抵抗材料の中央部位に配置される円形補強材をも選定配置し、前記第４工程では、選定された前記張架用リングと前記円形補強材とにおける前記音響抵抗材料との対向面に接着剤を塗布して前記頂面上に位置する前記音響抵抗材料に接合し、前記第５工程では、前記張架用リングと前記円形補強材とが固着された後の前記音響抵抗材料を前記治具から取り外すことを最も主要な特徴とする。
【００１７】
【００１８】
また、第２の発明（シート状張架音響抵抗材）は、請求項１に記載の製造方法で製造したことを最も主要な特徴とする。
【００１９】
さらに、第３の発明（マイクロホンユニット）は、外部からの音波を受けて振動する振動板と、該振動板の円滑な動作と所定の音響特性とを確保するための通孔を有する内蔵部品とを少なくともハウジング内に備えてなるマイクロホンユニットにおいて、前記通孔が同心円状に穿設された複数個で形成されている部位は、その全てを同時に塞ぐべく、前記張架用リングと前記円形補強材とが固着されてなる請求項２に記載の前記シート状張架音響抵抗材を選定配置し、前記通孔が適宜口径の単体として形成されている部位は、張架用リングのみが固着されて前記通孔の口径との関係でこれを塞ぐに足る外径を有するシート状張架音響抵抗材を選定配置したことを最も主要な特徴とする。
【発明の効果】
【００２０】
請求項１に係る発明によれば、シート状の音響抵抗材料に張力を加えた状態のもとで張架用リングに張設して一体化することで、単独で存在する個々の通孔によく適合できる構造を付与して製造することができる。
【００２１】
また、シート状の音響抵抗材料に張力を加えた状態のもとで張架用リングと円形補強材とに張設して一体化することで、同心円状に配置された通孔によく適合できる構造を付与して製造することができる。
【００２２】
請求項２に係る発明によれば、マイクロホンユニットがその内部に備える同心円状の複数個の通孔は、張架用リングと円形補強材とを備えるシート状張架音響抵抗材を選定して配置することで、安定的に塞ぐことができる。
【００２３】
請求項３に係る発明によれば、マイクロホンユニットがそのハウジング内に備える通孔をシート状張架音響抵抗材で塞ぐことができるので、安定した音響抵抗値が得られるだけでなく、指向周波数応答の劣化を阻止することができるマイクロホンユニットを提供することができる。
【図面の簡単な説明】
【００２４】
【図１】シート状張架音響抵抗材の製造方法の基本的な工程例を工程別に（ａ）〜（ｅ）として示す端面説明図。
【図２】第１の発明に係るシート状張架音響抵抗材の製造方法の一例を工程別に（ａ）〜（ｅ）として示す端面説明図。
【図３】第１の発明により製造された第２の発明に係るシート状張架音響抵抗材を配置してなる第３の発明に係るマイクロホンユニットの一例の内部構造を切断端面として示す説明図。
【図４】ダイナミックマイクロホンユニットを例に従来からあるマイクロホンユニットの内部構造を切断端面として示す説明図。
【発明を実施するための形態】
【００２５】
図１によれば、シート状張架音響抵抗材の製造方法の基本的な工程例は、図１（ａ）に示すように、今回用いる治具１１との関係で定まるシート状の音響抵抗材料２２を選定配置する第１工程と、図１（ｂ）に示すように、治具１１上に音響抵抗材料２２を載置させた状態で張力を加える第２工程と、同じく図１（ｂ）に示すように、張力が加えられた音響抵抗材料２２に適合する張架用リング２５を選定配置する第３工程と、図１（ｃ）に示すように、選定された張架用リング２５に接着剤２８を塗布して音響抵抗材料２２に接合する第４工程と、図１（ｄ）に示すように、音響抵抗材料２２を治具１１から取り外す第４工程と、図１（ｅ）に示すように、治具１１から取り外した後に張架用リング２５からはみ出ている周縁部２３を切除してシート状張架音響抵抗材２１を得る第６工程とを経ることで行われる。なお、治具１１については、図３に示すマイクロホンユニット内にあってシート状張架音響抵抗材２１で塞ごうとする単独孔としての通孔５５ａ，５６ａの口径との関係や、該通孔７６ａの配置状態との関係で定められることになる。
【００２６】
これらのうち、第１工程は、平坦な適宜の面サイズをその頂面１３に備える治具１１との関係で定まるシート状の音響抵抗材料２２を選定配置することで行われる。この場合における音響抵抗材料２２については、不織布、布、ナイロンメッシュなどのようなシート状を呈する適宜素材のものが用いられる
【００２７】
また、適宜の金属材や合成樹脂材などからなる治具１１は、基台等の図示しない他部材に位置固定させた基部（図示せず）上に突設された適宜の高さと外径とを備える円柱部１２と、該円柱部１２の頂端側に形成された平坦な頂面１３とを有しているほか、該頂面１３と円柱部１２との境界面に曲面１４を設けて形成されている。
【００２８】
しかも、治具１１については、今回形成しようとしているシート状張架音響抵抗材２１の外径と略対面合致する面サイズをその円柱部１２の頂面１３に備えているものが選定使用されることになる。
【００２９】
第２工程は、治具１１の頂面１３からその周縁部２３を曲面１４に沿わせてはみ出させた音響抵抗材料２２を頂面１２上に載置させた状態のもとで、周縁部２３側を保持させて行われる引張手法により張力を加えることができる。この場合における引張手法としては、例えば治具１１における円柱部１２の外径よりその内径が大径な引張リングに音響抵抗材料２２の周縁部２３を貼り付けた状態のもとで円柱部１２に送り入れて該円柱部１２に支持させ、この状態でさらに引張リング上に適宜重量のリング状の錘を載せることで張力を加えるようにするなど、音響抵抗材料２２を引張する適宜の手法を採用することができる。
【００３０】
第３工程は、このようにして張力が加えられた状態にある頂面１３上に位置する音響抵抗材料２２の面サイズとの関係で適合する外径を有し、かつ、所定の機械的強度を備えた断面方形を呈する張架用リング２５を選定配置することで行われる。この場合、該張架用リング２５には、ポリカーボネイトなどを原材料として形成したものを好適に用いることができる。
【００３１】
第４工程は、選定された張架用リング２５の音響抵抗材料２２との対向面２６に例えばエポキシ樹脂などの適宜の接着剤２８を塗布して頂面１３上に位置する音響抵抗材料２２に接合することで行われる。
【００３２】
第５工程は、接着剤２８が固化して張架用リング２５が固着された状態にある音響抵抗材料２２を治具１１から取り外すことで行われる。このとき、張架用リング２５の囲繞部内に位置する音響抵抗材料２２は、張力が加えられた状態のもとで張架用リング２５と一体化されることになる。
【００３３】
第６工程は、治具１１から取り外した後に張架用リング２５からはみ出ている周縁部２３を、張架用リング２５の外周に沿わせながら切除することで行われ、これにより第２の発明であるシート状張架音響抵抗材２１が形成されることになる。
【００３４】
一方、図２は、第１の発明であるシート状張架音響抵抗材の製造方法の一例を示す説明図であり、図１に示す基本的な工程例である第１工程〜第６工程のうち、第３工程〜第５工程の内容が異なっており、その他の工程は同じである。
【００３５】
すなわち、第１の発明であるシート状張架音響抵抗材の製造方法における第３工程では、図２（ｂ）に示すように張架用リング２５のほか、頂面１３上の音響抵抗材料２２の中央部位２４に配置される円形補強材３５をも選定配置する。この場合、張架用リング２５と円形補強材３５とは、ポリカーボネイトなどを原材料に用いて形成したものを好適に用いることができる。
【００３６】
第４工程では、図２（ｂ），（ｃ）に示すように、選定された張架用リング２５と円形補強材３５とにおける音響抵抗材料２２との対向面２６，３６に例えばエポキシ樹脂などの適宜の接着剤２８，３８を塗布した上で、張架用リング２５は頂面１３の周縁上に位置する音響抵抗材料２２に接合し、円形補強材３５は頂面１３の中央領域上に位置する音響抵抗材料２２の中央部位２４に接合する。
【００３７】
第５工程では、図２（ｄ）に示すように、張架用リング２５と円形補強材３５とが固着された後の音響抵抗材料２２を治具１１から取り外すことで行われる。このとき、張架用リング２５と円形補強材３５との間に位置する音響抵抗材料２２は、張力が加えられた状態のもとで張架用リング２５および円形補強材３５と一体化されることになる。
【００３８】
図３は、このようにして形成された第２の発明に係るシート状張架音響抵抗材２１を配置してなる第３の発明に係るマイクロホンユニットの一例の内部構造を示す説明図である。なお、以下の説明において、図４に示す従来例と同等な各構成部材には、同一の参照符号を付し、重複する説明は省略する。
【００３９】
すなわち、図３には、マイクロホンユニットを図４と同様にダイナミックマイクロホンユニット５１として形成した例が示されている。同図によれば、ダイナミックマイクロホンユニット５１は、振動板６２のほか、その内蔵部品である磁気回路ユニット７２が配設されるハウジング５２と、透孔からなる前部音響端子８３を有して振動板６２を覆うようにしてハウジング５２側に取り付けられるレゾネータ８２とを備えて形成されており、ハウジング５２は、その下側部側がユニットホルダ９２内に差し込まれて一体的に連結されている。
【００４０】
そして、磁気回路ユニット７２を構成しているカップ状ヨーク７５は、その底部７６に同心円状となる配置関係のもとで穿設された複数個の通孔７６ａを備えており、これらの通孔７６ａの全ては、その後面側から全てを同時に覆うことができる面サイズを備えたシート状張架音響抵抗材２１により塞がれている。
【００４１】
ここで用いられるシート状張架音響抵抗材２１は、その面サイズが大きくなることから、図２（ｅ）に示す構造を備えたもの、つまり張架用リング２５と円形補強材３５との間に位置する音響抵抗材料２２に張力が加えられた状態のもとで張架用リング２５および円形補強材３５と一体化されたシート状張架音響抵抗材２１が用いられることになる。
【００４２】
そして、図２（ｅ）に示すシート状張架音響抵抗材２１でカップ状ヨーク７５の底部７６に同心円状に穿設されている複数個の通孔７６ａを覆う際には、張架用リング２５側を底部７６の外縁部７７側に、円形補強材３５側を底部７６の中央部７８側にそれぞれ接合固着させることで、音響抵抗材料２２に張力が加えられた状態のもとで安定的に配置することができる。
【００４３】
また、ハウジング５２における前部隔壁部５５の通孔５５ａと後部隔壁部５６の通孔５６ａとは、それぞれが単独孔であることから、それぞれの前面側から図１（ｅ）に示す構造を備えたもの、つまり張架用リング２５により音響抵抗材料２２に張力が加えられた状態のもとで張架用リング２５と一体化されたシート状張架音響抵抗材２１における張架用リング２５側を接合固着することで塞がれている。
【００４４】
このため、図３に示すダイナミックマイクロホンユニット５１は、よく適合するシート状張架音響抵抗材２１を選定して用いることで、その内部に備える通孔５５ａ，５６ａ，７６ａを、振動しないように張力が付与されたシート状の音響抵抗材料２２で塞ぐことができるので、安定した音響抵抗値が得られるだけでなく、指向周波数応答の劣化を阻止することもできることになる。
【００４５】
以上は、本発明を図示例に基づいて説明したものであり、その具体的な構成はこれに限定されるものではない。例えば、本発明が適用されるマイクロホンユニットは、ハウジング内に振動板の円滑な動作と所定の音響特性とを確保するための通孔を備えているものでさえあれば、図３のダイナミックマイクロホンユニット５１のみならず、図示はしていないコンデンサマイクロホンユニットであってもよい。また、シート状張架音響抵抗材２１は、通孔の口径やその配置状態との具体的な関係を勘案し、よく適合する面サイズを備える図１（ｅ）や図２（ｅ）に示す構造を備えるものを適宜選定して用いることができる。
【符号の説明】
【００４６】
１１  治具
１２  円柱部
１３  頂面
１４  周曲面
２１  シート状張架音響抵抗材
２２  音響抵抗材料
２３  周縁部
２４  中央部位
２５  張架用リング
２６  対向面
２８  接着剤
３５  円形補強材
３６  対向面
３８  接着剤
５１  ダイナミックマイクロホンユニット
５２  ハウジング
５３  後部音響端子
５４  空気室
５５  前部音響端子
５５ａ  通孔
５６  後部隔壁部
５６ａ  通孔
６２  振動板
６３  センタードーム
６４  サブドーム
６５  ボイスコイル
７２  磁気回路ユニット
７３  永久磁石
７４  ポールピース
７５  カップ状ヨーク
７６  底部
７６ａ  通孔
７７  外縁部
７８  中央部
７９  リング状ヨーク
８２  レゾネータ
８３  前部音響端子
９２  ユニットホルダ
Ｇ  磁気ギャップ
【図１】
0005578953.tif 000002
【図２】
0005578953.tif 000003
【図３】
0005578953.tif 000004
【図４】
0005578953.tif 000005